(57)【要約】【課題】            上部構造体の上方からのねじ操作だけで高さ調整が可能な地下構造物用高さ調整装置を提供する。【解決手段】        地下構造物の基礎構造体上に配置され、受枠等の上部構造体の高さ調整を行うための装置。基礎構造体１２に、ねじ部１３を上下方向に設置し、上記ねじ部１３に相手ねじ１６を螺合することにより、相手ねじ１６を上下動可能に設け、相手ねじ１６とともに上下動可能であり、かつまた上部構造体１４を受け止める機能を持つ受座１７を相手ねじ１６に設け、上部構造体１４の上方から相手ねじ１６に操作部材３０を取り付け、回転させることで上部構造体１４を上下動可能とする。【選択図】          図３
2005054481.tif 000002
【特許請求の範囲】
【請求項１】
地下構造物の基礎構造体上に配置され、受枠等の上部構造体の高さ調整を行なうための装置であって、基礎構造体に、ねじ部を上下方向に設置し、上記ねじ部に相手ねじを螺合することにより、相手ねじを上下動可能に設け、相手ねじとともに上下動可能であり、かつまた上部構造体を受け止める機能を持つ受座を相手ねじに設け、上部構造体の上方から相手ねじに操作部材を取り付け、回転させることで上部構造体を上下動可能としたことを特徴とする地下構造物用高さ調整装置。
【請求項２】
基礎構造体に設置するねじ部はボルトであり、上部構造体を固定するために用いられるアンカーボルトを兼ねている請求項１記載の地下構造物用高さ調整装置。
【請求項３】
受座は、相手ねじと螺合しないように差し込まれ、相手ねじに固定的に設けられている座受けとともに上下動する構成を有している請求項１記載の地下構造物用高さ調整装置。
【請求項４】
受座は、相手ねじにダブルナット式又は溶接により一体に設けられている請求項１記載の地下構造物用高さ調整装置。
【請求項５】
基礎構造体と上部構造体との間の空所において、相手ねじに、高さ調整のために充填されるモルタル等の充填材が付着するのを防ぐために、相手ねじをカバー手段によって覆って成る請求項１ないし４のいずれかに記載の地下構造物用高さ調整装置。
【発明の詳細な説明】
【技術分野】
【０００１】
本発明は、地下構造物の基礎構造体上に配置され、受枠等の上部構造体の高さ調整を行なうための装置に関するものである。
【背景技術】
【０００２】
例えばマンホール蓋とそれが設置されている道路との間に段差があると、歩行者がつまづいたり自動車が衝撃を受けたりすることがある。そこでマンホール蓋面と道路面とを合わせることが必要となり、特開平１０−６８１３６号や特開２００１−１８２７２７号においては、蓋受枠とその下部の構造体との間にねじを用いた高さ調整装置を挿入し、受枠高さの微調整を行なうことを提案している。
【０００３】
これらはいずれも、施工時に、受枠を組み付ける工程においてボルト上のナットを操作して調整するものである。しかし、受枠は約４０ｋｇと重いためナットを操作することは困難であり、微調整しにくいという問題があった。また受枠と下部の構造との間が狭い場合さらに作業性は低下する。また前記発明中、後のものは、ボルトに螺合して上下させるナットに掛止用凹部を設け、その凹部に嵌合させる掛止爪をパイプ状本体の先端に有するナット廻し具を用いて、受枠の上方からの作業を可能にしている。しかし、ナット廻し具を受枠のアンカー穴に差し込まねばならず、ナット位置がアンカー穴から僅かでもずれると、ナット廻し具を凹部に嵌合させることができない。
【０００４】
また特開２００２−２１１０２号の場合には、受枠のアンカー穴から上方へ突出するボルトにナットを捩じ込み、ナットに設けた引き上げ手段により受枠を吊り上げた状態で、ナットの位置決めをする構成を開示している。この構成は高さ調整装置をセメントモルタル中に埋設することなく施工可能であるから、繰り返し使用可能となり、経済性も良い
が、強力なばねを必要とするとともに、作業上取り扱う部品点数が多い。
【発明の開示】
【発明が解決しようとする課題】
【０００５】
本発明は前記の点に着目してなされたもので、その課題は、上部構造体の上方からのねじ操作だけで高さ調整が可能な地下構造物用高さ調整装置を提供することである。また本発明の他の課題は、上部構造体と基礎構造体とを締結するアンカーボルトの回転操作により高さ調整を可能にすることである。
【課題を解決するための手段】
【０００６】
前記の課題を解決するため、本発明は基礎構造体に、ねじ部を上下方向に設置し、上記ねじ部に相手ねじを上下動可能に設け、相手ねじとともに上下動可能であり、かつまた上部構造体を受け止める機能を持つ受座を相手ねじに設け、上部構造体の上方から相手ねじに操作部材を取り付け、回転させることで上部構造体を上下動可能とするという手段を講じたものである。
【０００７】
本発明は、地下構造物を構成するマンホールその他の設備において、蓋表面を道路面と一致させるために高さや傾斜等の調整を行うことなどを主たる目的とする。マンホールは人の出入りが可能な口という意味であるが、これにかぎられることなく、より小さいサイズの蓋受け装置にも本発明は当然適用される。本発明において、蓋受け装置は、鉄蓋を受け止める受枠等の上部構造体と、その下部の基礎構造体とで構成され、基礎構造体は、下桝や斜壁と通称される部材類、調整枠、嵩上げ枠などの構築要素を含む。
【０００８】
それらより成る基礎構造体の上部に、ねじ部が上下方向に設置される。このねじ部は、相手ねじを螺合する部分であり、例えば、基礎構造体としての調整枠に埋め込んだインサートナットなどはねじ部に該当し、インサートナットに螺合させるアンカーボルトなどは相手ねじに該当する。また、基礎構造体に雄ねじを有するボルトを植立してねじ部とし、それに雌ねじを有するパイプを螺合させて相手ねじとすることも可能であるから、ねじ部は雌ねじと限らないし、同様に相手ねじも雄ねじとは限らない。しかし、アンカーボルトは上部構造体を基礎構造体に締結するために必要不可欠のものであるから、アンカーボルトを基礎構造体に設置するねじ部として使用することは最も望ましい本発明の適用形態である。
【０００９】
相手ねじとともに上下動可能であり、かつ上部構造体を受け止めるための受座を相手ねじに設ける。相手ねじのねじ込みねじ戻し操作に応じて生ずる上下動により、上部構造体の高さ調整を行うものである。受座の設け方には、相手ねじと螺合させることなく差し込み式に設けるものと（図４、５参照）、相手ねじと一体式に設けるもの（図６、７参照）とがある。前者の場合には相手ねじ上の１点に位置決めする部材を併用し、後者の場合には相手ねじ上の１点に固定する手段を用いる。
【００１０】
相手ねじには、上部構造体の上方から相手ねじ操作のための操作部材を取り付けるものとする。操作部材は、相手ねじに着脱可能に取り付けられるものであることが望まれる。装着により操作部材の作用力を相手ねじに伝えるためには操作部材の係合部と相手ねじとが係合する関係を持たせる。相手ねじがアンカーボルトとしても利用される場合、その上端は受枠から必要以上に突出せず、また下端も下部構造体から余り突出しないようになっていることが望ましい。なお、このために、高さ調整を終了し、かつアンカーボルトとしての締結を完了した後で突出する上端の余剰部分は切除することができるものとする。
【００１１】
本発明に係る地下構造物用高さ調整装置は、上に述べたようなねじ部を少なくとも３箇所設け、夫々に受座を有する相手ねじを螺合し、受枠等上部構造体の高さを調整するのが一般的と考えられる（図２参照）。しかしながら、最小限度の施工方法を考えると、１箇所だけでも上部構造体に傾斜を与えることは可能である。
【００１２】
また、本発明装置により高さ調整を実施したものについて、事後さらに高さ調整をやり直すことも可能である（図１３参照）。この再調整を行うには、相手ねじ部が回転操作可能に保たれていることが必要となるので、高さ調整のためのモルタルによって相手ねじ部が固定されてしまわないように、相手ねじ部及びねじ部との螺合部をカバー手段によって覆っておくことが必要となる。再工事が可能であるということは、上部構造体の上方から相手ねじを操作する方式を取ることによって可能となる本発明の利点である。
【発明の効果】
【００１３】
本発明は上記のように構成され、かつ作用するものであるから、上部構造体の上方（外方）からのねじ操作によって、上部構造体の高さ調整が可能になり、調整工事中に、地下構造物内に入って高さ調整ナットなどを操作する必要がなくなるので、作業性を向上することができるとともに、ねじ操作をアンカーボルトによって行えるようにした場合には、高さ調整装置としての構成部品点数が少なくて済む。また上部構造体の上方（外方）からのねじ操作によって上部構造体の高さ調整作業を行えるため、相手ねじさえ回転可能な状態を保っておけば、事後の再調整が容易に可能になる。
【発明を実施するための最良の形態】
【００１４】
以下図面を参照して本発明をより詳細に説明する。図１は、本発明に係る地下構造物の例示であり、１１は基盤、１２は基礎構造物としての下桝、１３はねじ部としてのインサートナットを示しており、基礎構造体１２の上端面に上下方向に設けられている。ねじ部１３は、基礎構造体１２の枠部に１２０度間隔で３箇所設置されており（図２）、基礎構造体１２の下方にも貫通している。
【００１５】
上部構造体１４としての受枠は、基礎構造体１２の上位に据え付けられ、鉄蓋（図示せず）を受け支える円環状の部材であり、そのフランジ部に６ケ所等間隔で設けられている所謂アンカー穴１５の位置は、下部構造体の前記ねじ部１３の位置と一致する。雌ねじ部材であるねじ部１３と螺合する雄ねじ部材である相手ねじ１６は、従ってアンカー穴１５に通される。例示の相手ねじ１６は、上部構造体１４と下部構造体１２とを締結するアンカーボルトを兼ねる。
【００１６】
相手ねじ１６は、ねじ部１３と螺合して上下動可能に設けられているが、相手ねじ１６に上部構造体１４を受け止めさせるために、受座１７は、相手ねじ１６に螺合することなく差し込まれる所謂ばか穴１８を有し、かつ下面に球面状に整形された球面座１９を有している。球面座１９で受座１７を受け止めるために円板状の座受け２０が相手ねじ１６の適当な位置に溶接されている。また、相手ねじ１６の上端には、後述する操作部材３０の係合部３１の係合相手部２１が設けられている。
【００１７】
螺合することなく差し込まれる受座１７の座受け２０は円板状に限らない。その例は図４、５に示されており、図４のものは、相手ねじ１６にピン２２を圧入しただけのものである。また図５のものは、Ｅ型ワッシャ２３或いはスナップピン２４を相手ねじ１６に係合によって取り付けたもので、取り付け部には雄ねじ部材のねじの谷部を利用することができる。これらの例の場合、受座１７は上部構造体１４の下面に接触して相手ねじ１６が回転しても回転せず座受け２０等とともに上下することになる。
【００１８】
他方、相手ねじ１６と一体に上下する一体式の例は図６、７に示されており、図６のものは相手ねじ１６に螺合する雌ねじ２５と上部球面座２６とを有する受座２７と、止めねじとなるナット２８とから成る。なお、図６の受座２７には、締め付けるための工具との係合部２７が設けられている。また図７のものは、雌ねじ２５と上部球面座２６とを有する受座２７を相手ねじ１６の適当な位置に溶接（符号２９で示す）したものである。故にこれらの例の場合には、相手ねじ１６が回転すると、それとともに、上部球面座２６で抵抗が減少している受座２７が回転し、上下することとなる。
【００１９】
上部構造体１４の上方から相手ねじ１６に取り付ける操作部材３０は、相手ねじ１６の上端に設けてある係合相手部２１と係合可能な係合部３１を有している。例示の係合部３１は、相手ねじ１６を差し込み可能な太さのパイプの差し込み口３２から内方の位置に設けられており、係合部３１の剛性向上に寄与している（図８）。操作部材３０は上端にハンドル３３を有している。
【００２０】
このように構成された本発明の地下構造物用高さ調整装置１０により、受枠の高さ調整を行う場合、基礎構造体１２を適切に設置し、そのねじ部１３に相手ねじ部１６を螺合する（図９参照）。図９以下に示したのはばか穴１８を有する回転しない受座１７を有する例である。
【００２１】
大まかな高さ調整ののち、上部構造体１４のアンカー穴１５に相手ねじ部１６を通し、上部構造体１４を受座１７に乗せて支えた状態とし、次いで操作部材３０の係合部３１を相手ねじ１６の係合相手部２１と係合させる。この状態でハンドル３３を所望の方向に操作し高さ調整を行う。図１０は図９より受座１７の位置を低く調整し、高さ調整を行う。図１１では、図１０より受座１７の位置を高く調整しており、どの調整を行うにしても、操作部材３０を上部構造体１４の上方から操作して、相手ねじ１６を回転させるだけで済む。
【００２２】
高さ調整が終わったなら、上部構造体１４のフランジ部から突出する相手ねじ１６にナット３４を螺合して相手ねじ１６をアンカーボルトとして使用し、基礎構造体１２と上部構造体１４とを締結する。また基礎構造体１２と上部構造体１４との間の空所３６に、速硬性のモルタルなどを高さ調整用充填材３５として充填する。モルタルが乾燥すれば、それで高さ調整を完了する。図１２の状態である。
【００２３】
この高さ調整工事において、空所３６に露出する相手ねじ部分に予めカバー手段２７により覆って、モルタルがねじに付着するのを防止することができる。図１３の左側の状態である。この場合には、相手ボルト１６にはモルタルが付着していないので相手ボルト１６の事後操作が可能となる。即ち、道路の舗装を剥離するとともに上部構造体１４に打撃を加えてモルタルから取り外し、操作部材３０を相手ボルト１６に取り付けて引き上げる方向に操作し、新たに生じた空所３６′にモルタルを充填することにより再嵩上げが可能となる。
【００２４】
また、上部構造体１４をモルタルから取り外した状態で、このモルタル３５を除去することができれば、基礎構造体１２との間の空所を改めて調整することが可能となる。従って、嵩上げだけでなく、高さを低くする方向の調整も可能となり、かつどの工事を行うときにも、上部構造体１４の上方からの作業で高さ調整を行うことができる。
【産業上の利用可能性】
【００２５】
本発明は以上のような内容を有するものであり、地下構造物の設置工事における上部構造体の高さ調整や、設置されているマンホールなどの地下構造物における上部構造体の高さの修正などを円滑に行うことができる。
【図面の簡単な説明】
【００２６】
【図１】本発明に係る地下構造物用高さ調整装置の適用例を示す縦断面図。
【図２】同じく平面図。
【図３】本発明に係る高さ調整装置の１例を示す側面図。
【図４】相手ねじと受座の関係の例２を示す側面図。
【図５】同じく例３を示す側面図。
【図６】同じく例４を示す側面図。
【図７】同じく例５を示す側面図。
【図８】操作部材の１例を示す図。
【図９】基礎構造体のねじ部に相手ねじ部を螺合させた状態の断面図。
【図１０】上部構造体の高さ調整の例１を示す断面図。
【図１１】上部構造体の高さ調整の例２を示す断面図。
【図１２】高さ調整を完了した状態の断面図。
【図１３】高さの再調整の例を示す断面図。
【符号の説明】
【００２７】
１０  地下構造用高さ調整装置
１２  基礎構造体
１３  ねじ部
１４  上部構造体
１６  相手ねじ
１７、２９  受座
２０  座受け
２１  係合相手部
２２  ピン
２３  ワッシャ
２４  スナップピン
２５  雌ねじ
２６  上部球面座
２８  ナット
２９  溶接
３０  操作部材
３１  係合部
３３  ハンドル
３５  高さ調整用充填材
３６、３６′  空所
【図１】
2005054481.tif 000003
【図２】
2005054481.tif 000004
【図３】
2005054481.tif 000005
【図４】
2005054481.tif 000006
【図５】
2005054481.tif 000007
【図６】
2005054481.tif 000008
【図７】
2005054481.tif 000009
【図８】
2005054481.tif 000010
【図９】
2005054481.tif 000011
【図１０】
2005054481.tif 000012
【図１１】
2005054481.tif 000013
【図１２】
2005054481.tif 000014
【図１３】
2005054481.tif 000015